(57)【要約】【課題】  操作ハンドルによる変速切換操作がスムーズかつ簡単に行えるし、かかるハンドル操作時にシフト部材や歯車を損傷するということが皆無になる散布機の繰出ロータの変速機を得る。【解決手段】  入力軸１１にその軸方向に往復動可能に嵌装した複数段歯車Ａ１３と、この複数段歯車Ａ１３の一段づつに噛合自在でかつ出力軸８に固定した複数段歯車Ｂ１０と、複数段歯車Ａ１３を入力軸１１に沿って往復動させるためのシフト部材１４と、このシフト部材１４を複数位置にシフトさせるための操作ハンドル１７とを備えたものであって、操作ハンドル１７を複数位置に切換自在に固定するためのハンドル保持板１８を有しかつ操作ハンドル１７を、曲げ弾力を有する弾性部材からなる弾性ハンドル基部側１７ａと棒状ハンドル握部側１７ｂとで構成してなる。【選択図】    図１
2006123667.tif 000002
【特許請求の範囲】
【請求項１】
入力軸にその軸方向に往復動可能に嵌装した複数段歯車Ａと、この複数段歯車Ａの一段づつに噛合自在でかつ出力軸に固定した複数段歯車Ｂと、前記複数段歯車Ａを入力軸に沿って往復動させるためのシフト部材と、このシフト部材を複数位置にシフトさせるための操作ハンドルとを備えた散布機の繰出ロータの変速機であって、
前記操作ハンドルを複数位置に切換自在に固定するためのハンドル保持板を有しかつ前記操作ハンドルを、曲げ弾力を有する弾性部材からなる弾性ハンドル基部側と棒状ハンドル握部側とで構成したことを特徴とする散布機の繰出ロータの変速機。
【発明の詳細な説明】
【技術分野】
【０００１】
本発明は、散布機において粉粒剤タンク下にあって粉粒剤を繰り出す繰出ロータの，その回転数を変えるための変速機に関するものである。
【背景技術】
【０００２】
従来のこの種の繰出ロータの変速機を、図７〜図１０に示す散布機を用いて説明する。図７は散布機全体を示す側面図、図８は図７の変速機の部分を拡大して示す縦断側面図、図９は図８を上からみた図、図１０は図９を左からみた縦断面図である。
【０００３】
図において、１はキャタピラ２で走行する台車、３は台車１に搭載されてキャタピラ２を駆動するエンジン、４は台車１に搭載した粉粒剤タンク、５は粉粒剤タンク４の下口にあって吐出部６との間に介在させた繰出機構、７は繰出機構５の変速機、８は繰出機構５の繰出ロータ（図示せず）に回転伝達軸９により接続される出力軸、１０は出力軸８に固定される３段歯車Ｂ、１１はエンジン３によりチェン１２駆動される入力軸、１３は入力軸１１にその軸方向に往復動可能に嵌装される３段歯車Ａ、１４は３段歯車Ａ１３を入力軸１１に沿って往復動させるためのシフト部材、１５はシフト部材１４の軸部１４ａに取り付けられてシフト部材１４を３位置にシフトさせるための操作ハンドル、１６は操作ハンドル１５を位置止めするためのストッパーで、玉１５ａが穴１６ａに嵌ることによりハンドル止めの作用をする。
【０００４】
今、エンジン３でキャタピラ２を駆動して走行しながら、同じくエンジン３で変速機７を介して繰出機構５の繰出ロータを駆動して、粉粒剤タンク４内の粉粒剤を吐出部６から散布する。その際、予め操作ハンドル１５を左右に操作して３段歯車Ａ１３を左右にシフトさせると、３段歯車Ａ１３と３段歯車Ｂ１０との噛み合い歯部が変わって変速値が変わり、繰出機構５の繰出ロータの回転数が変わるので、粉粒剤の吐出量を変更調節することができる。
【発明の開示】
【発明が解決しようとする課題】
【０００５】
解決しようとする問題は、操作ハンドル１５の操作により３段歯車Ａ１３を左右にシフトさせるときに、入力軸１１及び出力軸８が共に停止した状態では３段歯車Ａ１３の歯が３段歯車Ｂ１０の歯に噛み合わないため、実際にはハンドル操作をしながら両軸１１，８の一方を少し回して噛み合わせているので、その変速切換操作に手間が掛かるだけでなく、噛み合わないままハンドル操作を強く行うとシフト部材１４部分が損傷したり、歯車を損傷させてしまうし、またエンジン３を駆動して入力軸１１を回転させながらハンドル操作をすると噛み合いに勢いがついて歯車が損傷するという点である。
【課題を解決するための手段】
【０００６】
本発明は、入力軸にその軸方向に往復動可能に嵌装した複数段歯車Ａと、この複数段歯車Ａの一段づつに噛合自在でかつ出力軸に固定した複数段歯車Ｂと、前記複数段歯車Ａを入力軸に沿って往復動させるためのシフト部材と、このシフト部材を複数位置にシフトさせるための操作ハンドルとを備えたものであって、前記操作ハンドルを複数位置に切換自在に固定するためのハンドル保持板を有しかつ前記操作ハンドルを、曲げ弾力を有する弾性部材からなる弾性ハンドル基部側と棒状ハンドル握部側とで構成したことを特徴とする。
【発明の効果】
【０００７】
本発明は、散布機の停止時にハンドル操作（変速切換操作）をして複数段歯車Ａの歯が複数段歯車Ｂの歯に噛み合っていない状態であっても、操作ハンドルをその曲げ弾力により曲げてハンドル保持板の複数位置にセットして保持しておくと、散布機の使用時に入力軸が回転するとその瞬間に前記曲げ弾力の復元力により複数段歯車Ａがシフトして噛合状態（変速された状態）になるので、操作ハンドルによる変速切換操作がスムーズかつ簡単に行えるし、かかるハンドル操作時にシフト部材や歯車を損傷するということが皆無になるという効果がある。
【発明を実施するための最良の形態】
【０００８】
変速切換をする操作ハンドルを、曲げ弾力を有する弾性部材からなる弾性ハンドル基部側と棒状ハンドル握部側とで構成することにより、実現した。
【実施例】
【０００９】
この発明の一実施例を図１〜図６を用いて説明する。図１は図１０に相当する縦断面図、図２は図１を上からみたもので操作ハンドルとハンドル保持板との関係を示す図、図３は図２を説明する図、図４は図３の状態を示す図８に相当する縦断側面図、図５は図２の操作ハンドルが復元力により真っ直ぐになった状態を示す図、図６は図５の状態を示すもので図４に相当する縦断側面図で、図中前記した従来のものと同一または相当部分には同一符号を付して説明を省略する。
【００１０】
図において、１７はシフト部材１４の軸部１４ａに取り付けられてシフト部材１４を３位置にシフトさせるための操作ハンドルで、曲げ弾力を有する弾性部材からなる弾性ハンドル基部側１７ａと棒状ハンドル握部側１７ｂとで構成されている。１８は操作ハンドル１７を３位置に固定するためのハンドル保持板で、操作ハンドル１７の棒状ハンドル握部側１７ｂを案内するガイド溝１８ａと３個の凹み１８ｂとを有している。
【００１１】
今、入力軸１１及び出力軸８が共に停止した状態で、操作ハンドル１７を操作して３段歯車Ａ１３を例えば３段の中央の噛合位置（図８，図９に示す位置）から右にシフトさせて、３段の右側の噛合位置（図５，図６に示す位置）に切り換えるとき、まず操作ハンドル１７を中央から図３の矢印１９の方向にシフトして非噛合位置（図３，図４に示す状態）にする。そして、そのまま操作ハンドル１７を矢印１９の方向にシフトして３段歯車Ａ１３の右端歯を３段歯車Ｂ１０の右端歯に（前記した図５，図６の位置に）噛み合わせようとしても、入力軸１１及び出力軸８が共に停止した状態では噛み合わない。
【００１２】
そこで、操作ハンドル１７をその弾性ハンドル基部側１７ａの曲げ弾力を利用して図２に示すように曲げて、ハンドル保持板１８の右端凹み１８ｂにガイド溝１８ａから強制的に嵌め込んでおく。これで、変速切換操作が終了する。そして、エンジン３の駆動と共に入力軸１１が回転すると、その瞬間に操作ハンドル１７の弾性ハンドル基部側１７ａの復元力により操作ハンドル１７が図５に示すように真っ直ぐになることにより、３段歯車Ａ１３が右にスライドして３段歯車Ａ１３の右端歯が３段歯車Ｂ１０の右端歯に噛み合う（図６に示す状態）ので、そのまま図６に示すように切り換えられた状態で動力の伝達が行われる。
【００１３】
このように操作ハンドル１７の弾性ハンドル基部側１７ａの曲げ弾力を利用して操作ハンドル１７を切換位置に強制的にセットしておくと、例えその状態で３段歯車Ａ１３が３段歯車Ｂ１０に噛み合っていなくても、エンジン３の駆動で入力軸１１が回転したときに、すぐさま３段歯車Ａ１３が弾性ハンドル基部側１７ａの復元力によりスライドして３段歯車Ｂ１０に噛み合った状態になるので、エンジン３が停止していても、ハンドル操作などをして回したりしなくても、操作ハンドル１７の切換操作だけで簡単に変速切換操作が行える。
【００１４】
上記実施例では変速段数を３段として説明したが、変速段数の数については３段の他，用途及び目的に合わせて何段でも良いは勿論であるし、例え何段であっても同様の効果が得られるものである。
【産業上の利用可能性】
【００１５】
本発明は、散布機に搭載される繰出ロータの回転数を変えるための変速機に広く活用できる。
【図面の簡単な説明】
【００１６】
【図１】本発明の一実施例を示す縦断面図である。
【図２】図１を上からみたもので操作ハンドルとハンドル保持板との関係を示す図である。
【図３】図２を説明する図である。
【図４】図３の状態を示す縦断側面図である。
【図５】図２の操作ハンドルが復元力により真っ直ぐになった状態を示す図である。
【図６】図５の状態を示すもので図４に相当する縦断側面図である。
【図７】従来散布機の全体を示す側面図である。
【図８】図７の変速機の部分を拡大して示す縦断側面図である。
【図９】図８を上からみた図である。
【図１０】図９を左からみた縦断面図である。
【符号の説明】
【００１７】
１：台車
３：エンジン
４：粉粒剤タンク
５：繰出機構
６：吐出部
７：変速機
８：出力軸
９：回転伝達軸
１０：３段歯車Ｂ
１１：入力軸
１３：３段歯車Ａ
１４：シフト部材
１４ａ：軸部
１７：操作ハンドル
１７ａ：弾性ハンドル基部側
１７ｂ：棒状ハンドル握部側
１８：ハンドル保持板
１８ａ：ガイド溝
１８ｂ：凹み
【図１】
2006123667.tif 000003
【図２】
2006123667.tif 000004
【図３】
2006123667.tif 000005
【図４】
2006123667.tif 000006
【図５】
2006123667.tif 000007
【図６】
2006123667.tif 000008
【図７】
2006123667.tif 000009
【図８】
2006123667.tif 000010
【図９】
2006123667.tif 000011
【図１０】
2006123667.tif 000012